(57)【要約】      （修正有）【課題】カップリング雑音を減少させる出力ドライバ及びカップリング雑音の減少方法を提供する。【解決手段】第１トランジスタ、第２トランジスタ及び雑音除去部を備えるカップリング雑音を減少させる出力ドライバにおいて、第１トランジスタは、第１電圧に第１端が連結され、第１ノードに第２端が連結され、ゲートにデータが印加される。第２トランジスタは、前記第１ノードに第１端が連結され、出力ノードに第２端が連結される。雑音除去部は、前記第１トランジスタのゲートと前記第２トランジスタのゲートとの間に連結されるキャパシタで構成することができ、前記第２トランジスタのゲートと前記出力ノードとの間のカップリングキャパシタ及び前記第２トランジスタのゲートと前記第１ノードとの間のカップリングキャパシタによって前記第２トランジスタのゲートに発生するカップリング雑音を前記第１トランジスタのゲートに印加される前記データを利用して除去する。【選択図】図４
2005051218.tif 000002
【特許請求の範囲】
【請求項１】
第１電圧に第１端が連結され、第１ノードに第２端が連結され、ゲートにデータが印加される第１トランジスタと、
前記第１ノードに第１端が連結され、出力ノードに第２端が連結される第２トランジスタと、
前記第１トランジスタのゲートと前記第２トランジスタのゲートとの間に連結される雑音除去部と、を備えることを特徴とするカップリング雑音を減少させる出力ドライバ。
【請求項２】
前記雑音除去部は、キャパシタであることを特徴とする請求項１に記載のカップリング雑音を減少させる出力ドライバ。
【請求項３】
前記キャパシタは、前記第２トランジスタのゲートと前記出力ノードとの間のカップリングキャパシタ及び前記第２トランジスタのゲートと前記第１ノードとの間のカップリングキャパシタによって前記第２トランジスタのゲートに発生するカップリング雑音を前記第１トランジスタのゲートに印加される前記データを利用して除去することを特徴とする請求項２に記載のカップリング雑音を減少させる出力ドライバ。
【請求項４】
前記第１電圧は、接地電圧であることを特徴とする請求項１に記載のカップリング雑音を減少させる出力ドライバ。
【請求項５】
前記第１トランジスタ及び前記第２トランジスタは、ＮＭＯＳトランジスタであることを特徴とする請求項１に記載のカップリング雑音を減少させる出力ドライバ。
【請求項６】
第１電圧と出力ノードとの間に直列に連結される第１及び第２トランジスタを備える出力ドライバにおいて、
前記第２トランジスタのゲートに発生するカップリング雑音を減少させるための雑音除去部を備えることを特徴とするカップリング雑音を減少させる出力ドライバ。
【請求項７】
前記雑音除去部は、前記第１トランジスタのゲートと前記第２トランジスタのゲートとの間に連結されることを特徴とする請求項６に記載のカップリング雑音を減少させる出力ドライバ。
【請求項８】
前記雑音除去部は、キャパシタであることを特徴とする請求項６に記載のカップリング雑音を減少させる出力ドライバ。
【請求項９】
前記第１電圧は、接地電圧であることを特徴とする請求項６に記載のカップリング雑音を減少させる出力ドライバ。
【請求項１０】
入力ノードに入力されるデータを出力ノードにドライビングするための出力ドライバにおいて、
第１ノードと、
前記第１ノードと第１電圧との間に接続され、前記入力ノードに入力される前記データを前記第１ノードを通じて前記出力ノードにドライビングするための第１ドライバと、
前記出力ノードと前記第１ノードとの間に接続され、制御ノードに印加されるゲート電圧に応答して前記第１ノードと前記出力ノードとを接続するための第２ドライバと、
前記入力ノードと前記制御ノードとの間に接続され、前記制御ノードに発生するカップリング雑音を除去するための雑音除去部と、を備えることを特徴とするカップリング雑音を減少させる出力ドライバ。
【請求項１１】
前記雑音除去部は、キャパシタであることを特徴とする請求項１０に記載のカップリング雑音を減少させる出力ドライバ。
【請求項１２】
前記キャパシタは、前記第２ドライバの制御ノードと前記出力ノードとの間のカップリングキャパシタ及び前記第２ドライバの制御ノードと前記第１ノードとの間のカップリングキャパシタによって前記第２ドライバの制御ノードに発生するカップリング雑音を前記入力ノードに印加されるデータを利用して除去することを特徴とする請求項１１に記載のカップリング雑音を減少させる出力ドライバ。
【請求項１３】
前記第１電圧は、接地電圧であることを特徴とする請求項１０に記載のカップリング雑音を減少させる出力ドライバ。
【請求項１４】
制御ノードに印加されるゲート電圧に応答して入力ノードに入力されるデータを第１ノードを通じて出力ノードに出力し、前記制御ノードのカップリング雑音を減少させる方法において、
前記制御ノードと前記入力ノードとの間にキャパシタを連結して前記制御ノードのカップリング雑音を除去する段階と、
前記入力ノードに入力される前記データを前記第１ノードを通じて前記出力ノードに出力する段階と、を備えることを特徴とするカップリング雑音の減少方法。
【請求項１５】
前記制御ノードと前記入力ノードとの間にキャパシタを連結する段階は、前記制御ノードのカップリング雑音を前記入力ノードに印加される前記データを利用して除去することを特徴とする請求項１４に記載のカップリング雑音の減少方法。
【発明の詳細な説明】
【技術分野】
【０００１】
本発明は、出力ドライバに係り、特に、データ出力時に発生するカップリング雑音を減少させうる出力ドライバ及びカップリング雑音の減少方法に関する。
【背景技術】
【０００２】
出力ドライバのうち電流モードドライバは、ドライバのターンオンまたはターンオフ時にドライバの出力抵抗が何れも高い値を有するので、チャンネルインピーダンス整合に有利であってラムバスＤＲＡＭに必須的に使われ、また多くのチップ間連結システム（ｃｈｉｐ−ｔｏ−ｃｈｉｐ連結システム）において広く使われている。出力ドライバについては特許文献１に説明されている。
【０００３】
図１は、従来の電流モードドライバの構造を説明する図面である。図１を参照すれば、従来の電流モードドライバ１００は、チャンネルと接地電圧ＶＳＳとの間に連結されるＮＭＯＳトランジスタＮＴＲを有する。
【０００４】
電流モードドライバ１００をＭＯＳトランジスタＮＴＲで構成する場合、データＤＡＴＡの論理レベルによってゲートの電圧レベルが決定され、これにより、一定した値のドレイン電流Ｉｄが発生する。このドレイン電流は、チャンネルあるいは導線に沿って伝播される。
【０００５】
しかし、前述したように、電流モードドライバ１００がターンオン（このとき、電流が流れる）された場合、出力抵抗が非常に大きくなければならないので、電流モードドライバ１００のトランジスタは飽和状態にならなければならない。
【０００６】
トランジスタＮＴＲが飽和状態になるためには、トランジスタＮＴＲのゲート電圧レベルがドレイン電圧レベルより低い条件が満足しなければならない。ここで、ドレイン電圧レベルは、チャンネルのターンオン電圧レベルとトランジスタＮＴＲのしきい電圧との和である。
【０００７】
もし、ゲートに電源電圧レベルのデータＤＡＴＡが印加され、ドレイン（チャンネル）に低い電圧が発生すれば、ゲート電圧レベルがドレイン電圧レベルより低い条件に反する可能性が大きく、電流モードドライバ１００の出力抵抗が非常に低くなる。
【０００８】
したがって、図１のように一つのＭＯＳトランジスタだけで出力ドライバを構成する場合には、トランジスタＮＴＲのゲートに印加されるデータのレベルによってゲートが接地電圧レベルまたは電源電圧レベルに充電されるというよりは、接地電圧レベルまたはしきい電圧と電源電圧との間のある適当な電圧レベルＶＡを往復しながら充電される。
【０００９】
しかし、この場合は、大きな電流供給容量を要求する電圧レベルＶＡを内部で発生させなければならないため、チップ面積や電力消耗の側面で多くの不利な点をもたらす。したがって、ラムバスＤＲＡＭをはじめとする多くの場合においては、ｃａｓｃｏｄｅと類似した形態のスタック型出力ドライバを使用している。
【００１０】
図２は、一般的なスタック型電流モード出力ドライバの構造を説明する図面である。
【００１１】
図２を参照すれば、スタック型電流モード出力ドライバ２００では、二つのＮＭＯＳトランジスタＮＴＲ１，ＮＴＲ２がチャンネルと接地電圧ＶＳＳとの間に直列に連結される。チャンネル方向に連結された第２トランジスタＮＴＲ２のゲートにはゲート電圧ＥＮＶＧという一定に維持される電圧が印加され、第１トランジスタＮＴＲ１のゲートには電源電圧ＶＤＤレベルと接地電圧ＶＳＳレベルとの間でスイングするデータＤＡＴＡを印加する。
【００１２】
適当なゲート電圧ＥＮＶＧを印加すれば、第２トランジスタＮＴＲ２は、常に飽和状態を維持し、出力ドライバ２００の出力抵抗は常に大きい値に維持される。
【００１３】
第２トランジスタＮＴＲ２に印加されるゲート電圧ＥＮＶＧは、データＤＡＴＡの変化に関係なく一定に維持される電圧であるので、電流供給容量が大きい必要がないので、図２の出力ドライバ２００構造は正確な電圧の発生及び調節が容易な長所がある。
【００１４】
ラムバスＤＲＡＭの場合、待機状態ではゲート電圧ＥＮＶＧを接地電圧ＶＳＳレベルに下げ、活性状態では一定電圧Ｖｇａｔｅレベルに上昇させて出力ドライバ２００を使用可能な状態にする。
【００１５】
下側の第１トランジスタＮＴＲ１のゲートに印加されるデータＤＡＴＡは、接地電圧ＶＳＳと電源電圧ＶＤＤとの間でスイングするので、Ｖｇａｔｅ電圧によって出力ドライバ２００の駆動電流の大きさが決定される。
【００１６】
Ｖｇａｔｅの変動によって出力ドライバ２００の駆動電流の大きさが影響を受け、これはまた、チャンネル上にのせられる信号の大きさ及びタイミングに影響を与えうることを意味する。
【００１７】
したがって、第２トランジスタＮＴＲ２のゲートに発生するカップリング雑音は、チャンネル上にのせられる信号の特性に悪影響をおよぼし、これを最大限抑制するために第２トランジスタＮＴＲ２のゲートと接地電圧ＶＳＳとの間に非常に大きい容量のキャパシタを挿入する。
【００１８】
図３は、図２の出力ドライバに発生するカップリング雑音を説明する図面である。
【００１９】
データＤＡＴＡの論理レベルが１と０とである場合によって、第２トランジスタＮＴＲ２のドレインノードのチャンネルは約８００ｍＶのスイングをし、二つのトランジスタＮＴＲ１，ＮＴＲ２間の中間ノードである第１ノードＮ１の電圧レベルは、出力ドライバの設計に依存するが、約５００ｍＶほどの幅でスイングをする。
【００２０】
すなわち、第１トランジスタＮＴＲ１のゲート電圧が電源電圧ＶＤＤに上昇すれば、チャンネルは８００ｍＶほど下降し、第１ノードＮ１の電圧レベルは５００ｍＶほど下降する。このノードの電圧レベルの動きは、第２トランジスタＮＴＲ２の寄生キャパシタＣｇｄ，Ｃｇｓによって第２トランジスタＮＴＲ２のゲートノードＧＮＯＤＥに伝えられ、ゲートノードＧＮＯＤＥの電圧レベルが動く量Ｖｃｏｕｐは基本的に次の数式（１）によって決定される。
【００２１】
Vcoup＝（800mV*Cgd＋500mV*Cgs）/（C＋Cgd＋Cgs）  ・・・（１）
数式（１）に示されるカップリング電圧の伝達経路は二つである。一つは、８００ｍＶのスイングをするチャンネルからであり、他の一つは、約５００ｍＶのスイングをする第１ノードＮ１からである。
【００２２】
しかし、カップリング雑音の大きさは、ノードの電圧変化量と相互キャパシタＣｇｄ，Ｃｇｓとの積に比例するが、一般的にＣｇｓ＞＞Ｃｇｄであるので、第１ノードＮ１によって誘導されるカップリング雑音がほとんどを占める。
【００２３】
このカップリング雑音は、小さければ小さいほど良い。数式（１）に示されたように、第２トランジスタＮＴＲ２のゲートノードＧＮＯＤＥと接地電圧ＶＳＳとの間に連結されたキャパシタＣの容量がＣｇｄやＣｇｓよりかなり大きければ、カップリング電圧であるＶｃｏｕｐを抑制しうる。
【００２４】
しかし、出力ドライバ３００の第１及び第２トランジスタＮＴＲ１，ＮＴＲ２のサイズが一般的に非常に大きいので、Ｃｇｄ及びＣｇｓの値も非常に大きい値を有し、これらより過度に大きいキャパシタＣを第２トランジスタＮＴＲ２のゲートノードＧＮＯＤＥと接地電圧ＶＳＳとの間に挿入しなければならないという制約がある。
【００２５】
また、非常に大きい値のキャパシタＣは、第２トランジスタＮＴＲ２のゲートノードＧＮＯＤＥをＶｇａｔｅ／ＶＳＳレベルに充放電するのに難しさを与える。したがって、現在、ラムバスＤＲＡＭでは、第２トランジスタＮＴＲ２のゲートノードＧＮＯＤＥに数十ｍＶほどのカップリング電圧Ｖｃｏｕｐが発生している。
【００２６】
ラムバスＤＲＡＭにおいて、第２トランジスタＮＴＲ２のゲートノードＧＮＯＤＥは、８個の出力ドライバ（図示せず）が共有しているので、全ての出力ドライバがプルダウンされれば、第２トランジスタＮＴＲ２のゲートノードＧＮＯＤＥのカップリング電圧Ｖｃｏｕｐが低下してデータＤＡＴＡの出力タイミングであるｔＱが遅れる問題点がある。
【００２７】
一方、残りの７個の出力ドライバがプルアップされ、一つの出力ドライバがプルダウンされれば、第２トランジスタＮＴＲ２のゲートノードＧＮＯＤＥのカップリング電圧Ｖｃｏｕｐが上昇してｔＱが早くなる問題点がある。このようにカップリング雑音は、データＤＡＴＡの出力タイミングであるｔＱを変動させてチップ相互間の高速信号伝達に妨害になる。
【特許文献１】米国特許第４,３８４,２１６号公報
【発明の開示】
【発明が解決しようとする課題】
【００２８】
本発明が解決しようとする技術的課題は、出力ドライバに発生するカップリング雑音を減少させうる出力ドライバを提供することである。
【００２９】
本発明が解決しようとする他の技術的課題は、出力ドライバに発生するカップリング雑音を減少させうる方法を提供することである。
【課題を解決するための手段】
【００３０】
前記課題を達成するための本発明の１つの側面に係るカップリング雑音を減少させる出力ドライバは、第１トランジスタ、第２トランジスタ及び雑音除去部を備える。
【００３１】
第１トランジスタは、第１電圧に第１端が連結され、第１ノードに第２端が連結され、ゲートにデータが印加される。第２トランジスタは、前記第１ノードに第１端が連結され、出力ノードに第２端が連結される。
【００３２】
雑音除去部は、前記第１トランジスタのゲートと前記第２トランジスタのゲートとの間に連結される。前記雑音除去部は、例えばキャパシタで構成することができる。
【００３３】
前記キャパシタは、例えば、前記第２トランジスタのゲートと前記出力ノードとの間のカップリングキャパシタ及び前記第２トランジスタのゲートと前記第１ノードとの間のカップリングキャパシタによって前記第２トランジスタのゲートに発生するカップリング雑音を前記第１トランジスタのゲートに印加される前記データを利用して除去する。
【００３４】
前記第１電圧は、例えば接地電圧である。前記第１トランジスタ及び前記第２トランジスタは、例えばＮＭＯＳトランジスタである。
【００３５】
前記課題を達成するための本発明の他の側面に係るカップリング雑音を減少させる出力ドライバは、第１電圧と出力ノードとの間に直列に連結される第１及び第２トランジスタを備える出力ドライバにおいて、前記出力ドライバは、前記第２トランジスタのゲートに発生するカップリング雑音を減少させるための雑音除去部を備える。
【００３６】
前記雑音除去部は、例えば、前記第１トランジスタのゲートと前記第２トランジスタのゲートとの間に連結される。前記雑音除去部は、例えばキャパシタで構成することができる。
【００３７】
前記課題を達成するための本発明の更に他の側面に係るカップリング雑音を減少させる出力ドライバは、入力ノードに入力されるデータを出力ノードにドライビングするための出力ドライバにおいて、第１ノード、第１ドライバ、第２ドライバ及び雑音除去部を備える。
【００３８】
第１ドライバは、前記第１ノードと第１電圧との間に接続され、前記入力ノードに入力される前記データを前記第１ノードを通じて前記出力ノードにドライビングする。第２ドライバは、前記出力ノードと前記第１ノードとの間に接続され、制御ノードに印加されるゲート電圧に応答して前記第１ノードと前記出力ノードとを接続する。
【００３９】
前記雑音除去部は、例えば前記入力ノードと前記制御ノードとの間に接続され、前記制御ノードに発生するカップリング雑音を除去する。前記雑音除去部は、例えばキャパシタで構成されうる。
【００４０】
前記キャパシタは、例えば、前記第２ドライバの制御ノードと前記出力ノードとの間のカップリングキャパシタ及び前記第２ドライバの制御ノードと前記第１ノードとの間のカップリングキャパシタによって前記第２ドライバの制御ノードに発生するカップリング雑音を前記入力ノードに印加されるデータを利用して除去する。
【００４１】
前記第１電圧は、例えば接地電圧である。
【００４２】
前記他の課題を達成するための本発明に係るカップリング雑音を減少させる方法は、制御ノードに印加されるゲート電圧に応答して入力ノードに入力されるデータを第１ノードを通じて出力ノードに出力し、前記制御ノードのカップリング雑音を減少させる方法において、前記制御ノードと前記入力ノードとの間にキャパシタを連結して前記制御ノードのカップリング雑音を除去する段階及び前記入力ノードに入力される前記データを前記第１ノードを通じて前記出力ノードに出力する段階を備える。
【００４３】
前記制御ノードと前記入力ノードとの間にキャパシタを連結する段階では、例えば、前記制御ノードのカップリング雑音を前記入力ノードに印加される前記データを利用して除去する。
【発明の効果】
【００４４】
本発明によるカップリング雑音を減少させる出力ドライバ及びカップリング雑音の減少方法は、出力ドライバのチャンネルに連結されたトランジスタのゲートに発生するカップリング雑音及びカップリング雑音によるデータの出力タイミングの不安定性を除去することができる。
【００４５】
また、出力ドライバのチャンネルに連結されたトランジスタのゲートと接地電圧との間に連結されたキャパシタの容量を減少させることができる。
【発明を実施するための最良の形態】
【００４６】
本発明とその動作上の利点及び本発明の実施によって達成される目的を十分に理解するためには、本発明の望ましい実施形態を例示する添付図面及び図面に記載された内容を参照すべきである。
【００４７】
以下、添付した図面を参照して本発明の望ましい実施形態を説明することによって、本発明を詳細に説明する。各図面に提示された同じ参照符号は同じ構成要素を表す。
【００４８】
図４は、本発明の望ましい実施形態の出力ドライバの構造を説明する図面である。
【００４９】
図４を参照して本発明の第１実施形態を説明する。第１実施形態において、出力ドライバ４００は、第１トランジスタＮＴＲ１、第２トランジスタＮＴＲ２及び雑音除去部４１０を備える。
【００５０】
第１トランジスタＮＴＲ１は、第１電圧ＶＳＳに第１端が連結され、第１ノードＮ１に第２端が連結され、ゲートＧＮＯＤＥ１にデータＤＡＴＡが印加される。ここで、第１電圧ＶＳＳは接地電圧ＶＳＳである。また、第１トランジスタＮＴＲ１はＮＭＯＳトランジスタである。
【００５１】
第２トランジスタＮＴＲ２は、第１ノードＮ１に第１端が連結され、出力ノードＯＮＯＤＥに第２端が連結される。第２トランジスタＮＴＲ２はＮＭＯＳトランジスタである。
【００５２】
雑音除去部４１０は、第１トランジスタＮＴＲ１のゲートＧＮＯＤＥ１と第２トランジスタＮＴＲ２のゲートＧＮＯＤＥ２との間に連結される。雑音除去部４１０は、例えばキャパシタで構成されうる。
【００５３】
雑音除去部４１０としてのキャパシタは、第２トランジスタＮＴＲ２のゲートＧＮＯＤＥ２と出力ノードＯＮＯＤＥとの間のカップリングキャパシタＣｇｄ及び第２トランジスタＮＴＲ２のゲートＧＮＯＤＥ２と第１ノードＮ１との間のカップリングキャパシタＣｇｓによる第２トランジスタＮＴＲ２のゲートＧＮＯＤＥ２に発生するカップリング雑音を第１トランジスタＮＴＲ１のゲートＧＮＯＤＥ１に印加されるデータＤＡＴＡを利用して除去する。
【００５４】
以下、図４を参照して本発明の望ましい実施形態の出力ドライバの動作を詳細に説明する。
【００５５】
本発明の原理を簡単に説明すれば、出力ドライバ４００のノードの電圧がプルアップまたはプルダウンされることによって、出力ドライバ４００のチャンネル（ＣＨＡＮＮＥＬ）側のトランジスタＮＴＲ２のゲートＧＮＯＤＥ２に発生するカップリング雑音を反対位相のカップリングによって相殺して除去する。
【００５６】
図４に示す出力ドライバ４００において、データＤＡＴＡが印加される第１トランジスタＮＴＲ１のゲートＧＮＯＤＥ１と第１ノードＮ１及び出力ノードＯＮＯＤＥの電圧レベルが変化する方向が互いに逆になっている。
【００５７】
すなわち、ハイレベルのデータＤＡＴＡが印加されると、第１トランジスタＮＴＲ１のゲートＧＮＯＤＥ１の電圧レベルが上昇するが、第１トランジスタＮＴＲ１がターンオンされるので、第１ノードＮ１及び出力ノードＯＮＯＤＥの電圧レベルは下降する。
【００５８】
このような動作原理を利用して第１トランジスタＮＴＲ１のゲートＧＮＯＤＥ１と第２トランジスタＮＴＲ２のゲートＧＮＯＤＥ２との間に雑音除去部４１０を連結する。雑音除去部４１０は、キャパシタで構成することができ、適切な容量を有するキャパシタを挿入することにより、第２トランジスタＮＴＲ２のゲートＧＮＯＤＥ２が第１ノードＮ１及び出力ノードＯＮＯＤＥから受けるカップリング雑音のほとんどを相殺することができる。
【００５９】
ハイレベルのデータＤＡＴＡが印加されると、第１ノードＮ１の電圧レベルは前述したように約５００ｍＶほど下降し、出力ノードＯＮＯＤＥの電圧レベルは約８００ｍＶほど下降する。
【００６０】
それにより、従来の構成においては、第２トランジスタＮＴＲ２のゲートＧＮＯＤＥ２の電圧レベルもカップリング雑音によって電圧レベルが下降する。しかし、ハイレベルのデータＤＡＴＡが印加されると、第１トランジスタＮＴＲ１のゲートＧＮＯＤＥ１の電圧レベルが上昇し、これにより、雑音除去部４１０、すなわち、キャパシタが充電される。
【００６１】
それにより、第２トランジスタＮＴＲ２のゲートＧＮＯＤＥ２の電圧レベルも上昇する。したがって、第２トランジスタＮＴＲ２のゲートＧＮＯＤＥ２の電圧レベルが一定に維持されうる。
【００６２】
図４に示す出力ドライバ４００のトランジスタＮＴＲ１，ＮＴＲ２は非常に大きいが、追加の雑音除去部４１０のキャパシタはトランジスタＮＴＲ１，ＮＴＲ２に比べて大きくない。
【００６３】
チャンネル（ＣＨＡＮＮＥＬ）の出力ノードＯＮＯＤＥや第１ノードＮ１は、約５００〜８００ｍＶのスイングをするが、データＤＡＴＡが印加される第１トランジスタＮＴＲ１のゲートＧＮＯＤＥ１は、電源電圧ＶＤＤレベルから接地電圧ＶＳＳレベルまでフルスイングをするため、小さな容量のキャパシタでも第２トランジスタＮＴＲ２のゲートＧＮＯＤＥ２のカップリング雑音を完全に相殺することができる。
【００６４】
本発明を適用して第２トランジスタＮＴＲ２のゲートＧＮＯＤＥ２のカップリング雑音を相殺する場合、従来は非常に大きい値であった、第２トランジスタＮＴＲ２のゲートＧＮＯＤＥ２と接地電圧ＶＳＳとの間に連結されたキャパシタＣの容量を減少させることができる。
【００６５】
図５（ａ）は、従来の出力ドライバを使用した場合におけるカップリング雑音による第２トランジスタのゲートの波形変動を説明する図面である。
【００６６】
図５（ｂ）は、本発明の一実施形態の出力ドライバを使用した場合におけるカップリング雑音が除去された第２トランジスタのゲートの波形変動を説明する図面である。
【００６７】
図５（ａ）を参照すれば、図３に示す第２トランジスタＮＴＲ２のゲートＧＮＯＤＥの電圧レベルがカップリング雑音の影響によって変動が激しいことが分かる。
【００６８】
図５（ｂ）を参照すれば、雑音除去部４１０によってカップリング雑音が相殺されて図４に示す第２トランジスタＮＴＲ２のゲートＧＮＯＤＥ２の電圧レベルが安定的であることが分かる。
【００６９】
次いで、本発明の第２実施形態としてのカップリング雑音を減少させる出力ドライバを図４を再び参照して説明する。
【００７０】
本発明の第２実施形態では、カップリング雑音を減少させる出力ドライバ４００は、第１電圧ＶＳＳと出力ノードＯＮＯＤＥとの間に直列に連結される第１及び第２トランジスタＮＴＲ１，ＮＴＲ２を備える出力ドライバ４００に関するものである。
【００７１】
出力ドライバ４００は、第２トランジスタＮＴＲ２のゲートＧＮＯＤＥ２に発生するカップリング雑音を減少させるための雑音除去部４１０を備える。雑音除去部４１０は、第１トランジスタＮＴＲ１のゲートＧＮＯＤＥ１と第２トランジスタＮＴＲ２のゲートＧＮＯＤＥ２との間に連結され、雑音除去部４１０はキャパシタである。
【００７２】
本発明の第２実施形態の出力ドライバは、第１実施例による出力ドライバの動作と同じ動作を行うので、ここで詳細な説明は省略する。
【００７３】
本発明の第３実施形態としてのカップリング雑音を減少させる出力ドライバを図４を参照して説明する。
【００７４】
本発明の第３実施形態のカップリング雑音を減少させる出力ドライバ４００は、入力ノードＧＮＯＤＥ１に入力されるデータＤＡＴＡを出力ノードＯＮＯＤＥにドライビングするための出力ドライバに関するものである。
【００７５】
本発明の第３実施形態の出力ドライバＮＴＲ１，ＮＴＲ２は、第１ノードＮ１、第１ドライバＮＴＲ１、第２ドライバＮＴＲ２及び雑音除去部４１０を備える。
【００７６】
第１ドライバＮＴＲ１は、第１ノードＮ１と第１電圧ＶＳＳとの間に接続され、入力ノードＧＮＯＤＥ１に入力されるデータＤＡＴＡを第１ノードＮ１を通じて出力ノードＯＮＯＤＥにドライビングする。
【００７７】
ここで、第１ノードＮ１は接地電圧である。第１ドライバＮＴＲ１は、第１実施形態の出力ドライバにおける第１トランジスタＮＴＲ１と同じ機能を有する。
【００７８】
第２ドライバＮＴＲ２は、出力ノードＯＮＯＤＥと第１ノードＮ１との間に接続され、制御ノードＧＮＯＤＥ２に印加されるゲート電圧ＥＮＶＧに応答して第１ノードＮ１と出力ノードＯＮＯＤＥとを接続する。第２ドライバＮＴＲ２は、第１実施形態の出力ドライバにおける第２トランジスタＮＴＲ２と同じ機能を有する。したがって、制御ノードＧＮＯＤＥ２は、第２トランジスタＮＴＲ２のゲートＧＮＯＤＥ２である。
【００７９】
雑音除去部４１０は、入力ノードＧＮＯＤＥ１と制御ノードＧＮＯＤＥ２との間に接続され、制御ノードＧＮＯＤＥ２に発生するカップリング雑音を除去する。雑音除去部４１０はキャパシタである。
【００８０】
キャパシタは、第２ドライバＮＴＲ２の制御ノードＧＮＯＤＥ２と出力ノードＯＮＯＤＥとの間のカップリングキャパシタＣｇｄ及び第２ドライバＮＴＲ２の制御ノードＧＮＯＤＥ２と第１ノードＮ１との間のカップリングキャパシタＣｇｓによる第２ドライバＮＴＲ２の制御ノードＧＮＯＤＥ２に発生するカップリング雑音を入力ノードＧＮＯＤＥ１に印加されるデータＤＡＴＡを利用して除去する。
【００８１】
本発明の第３実施形態の出力ドライバは、第１実施形態の出力ドライバの動作と同じ動作を行うので、ここで詳細な説明は省略する。
【００８２】
本発明の他の実施形態としてのカップリング雑音を減少させる方法を図４を参照して説明する。
【００８３】
本発明の他の実施形態としてのカップリング雑音を減少させる方法は、制御ノードＧＮＯＤＥ２に印加されるゲート電圧に応答して入力ノードＧＮＯＤＥ１に入力されるデータＤＡＴＡを第１ノードＮ１を通じて出力ノードＯＮＯＤＥに出力し、制御ノードＧＮＯＤＥ２のカップリング雑音を減少させる方法に関するものである。
【００８４】
まず、制御ノードＧＮＯＤＥ２と入力ノードＧＮＯＤＥ１との間にキャパシタを連結して制御ノードＧＮＯＤＥ２のカップリング雑音を除去する。そして、入力ノードＧＮＯＤＥ１に入力されるデータＤＡＴＡを第１ノードＮ１を通じて出力ノードＯＮＯＤＥに出力する。
【００８５】
制御ノードＧＮＯＤＥ２と入力ノードＧＮＯＤＥ１との間にキャパシタを連結する段階は、制御ノードＧＮＯＤＥ２のカップリング雑音を入力ノードＧＮＯＤＥ１に印加されるデータＤＡＴＡを利用して除去する。
【００８６】
このカップリング雑音の減少方法は、第３実施形態の出力ドライバの動作に対応する。したがって、ここで詳細な説明は省略する。
【００８７】
以上、図面及び明細書で最適の実施形態が開示された。ここで、特定な用語が使われたが、これは単に本発明を例示的に説明するための目的で使われたものであり、意味限定や特許請求の範囲に記載された本発明の範囲を制限するために使われたものではない。したがって、当業者ならば、これから多様な変形及び均等な他の実施形式が可能であることが分かる。したがって、本発明の真の技術的保護範囲は、特許請求の範囲内の技術的思想によって決定されなければならない。
【産業上の利用可能性】
【００８８】
本発明は、例えば半導体メモリ装置分野に利用され、特に、半導体メモリ装置の出力ドライバに有用である。
【図面の簡単な説明】
【００８９】
【図１】従来の電流モードドライバの構造を説明する図面である。
【図２】一般的なスタック型電流モード出力ドライバの構造を説明する図面である。
【図３】図２の出力ドライバに発生するカップリング雑音を説明する図面である。
【図４】本発明の望ましい実施形態の出力ドライバの構造を説明する図面である。
【図５】（ａ）は、従来の出力ドライバを使用した場合のカップリング雑音による第２トランジスタのゲートの波形変動を説明する図面であり、（ｂ）は、本発明の出力ドライバを使用した場合のカップリング雑音が除去された第２トランジスタのゲートの波形変動を説明する図面である。
【符号の説明】
【００９０】
４００    出力ドライバ
４１０    雑音除去部
ＯＮＯＤＥ    出力ノード
ＧＮＯＤＥ１，ＧＮＯＤＥ２  ゲート
ＥＮＶＧ  ゲート電圧
ＮＴＲ１  第１トランジスタ
ＮＴＲ２  第２トランジスタ
ＤＡＴＡ  データ
ＶＳＳ  第１電圧
Ｃｇｄ，Ｃｇｓ  カップリングキャパシタ
Ｎ１  第１ノード
Ｃ  キャパシタ
ＣＨＡＮＮＥＬ  チャンネル
【図１】
2005051218.tif 000003
【図２】
2005051218.tif 000004
【図３】
2005051218.tif 000005
【図４】
2005051218.tif 000006
【図５】
2005051218.tif 000007